(57)【要約】【課題】簡単な構成で、良好な放熱効果の得られる乾式コンデンサを提供する。【解決手段】コンデンサ素子１を第１の樹脂５で覆うと共に、この第１の樹脂５の上に第１の樹脂５よりも熱伝導率の大きい第２の樹脂６を充填する。コンデンサ素子１は、内部に空間を有する巻芯２を備え、この巻芯２の内部にも上記第２の樹脂６を注入する。巻芯２は、上方に突出する突出部２ａを有し、突出部２ａの途中まで上記第１の樹脂５を充填すると共に、その上に上記第２の樹脂６を充填する。【選択図】図１
2006059890.tif 000002
【特許請求の範囲】
【請求項１】
コンデンサ素子（１）をケース（４）に収納し樹脂を充填した乾式コンデンサであって、コンデンサ素子（１）を第１の樹脂（５）で覆うと共に、この第１の樹脂（５）の上に第１の樹脂（５）よりも熱伝導率の大きい第２の樹脂（６）を充填したことを特徴とする乾式コンデンサ。
【請求項２】
上記コンデンサ素子（１）は、内部に空間を有する巻芯（２）を備え、この巻芯（２）の内部にも上記第２の樹脂（６）を注入することを特徴とする請求項１の乾式コンデンサ。
【請求項３】
上記巻芯（２）は、メタリコン電極（７）よりも上方へ突出する突出部（２ａ）を有し、突出部（２a）の途中まで上記第１の樹脂（５）を充填すると共に、その上に上記第２の樹脂（６）を充填することを特徴とする請求項２の乾式コンデンサ。
【請求項４】
上記巻芯（２）の下端部（２ｂ）は、閉鎖されていることを特徴とする請求項２又は請求項３の乾式コンデンサ。
【請求項５】
上記巻芯（２）を、金属で構成したことを特徴とする請求項２〜請求項４のいずれかの乾式コンデンサ。
【発明の詳細な説明】
【技術分野】
【０００１】
この発明は、コンデンサ素子をケースに収納し樹脂を充填した乾式コンデンサに関するものである。
【背景技術】
【０００２】
従来より、乾式コンデンサの封止樹脂として難燃性で絶縁性の良いエポキシ樹脂が使用されている。また、コンデンサの耐湿性の向上や樹脂のクラック防止対策として、低硬度のウレタン樹脂と高硬度のウレタン樹脂とを二重構造にするものが知られている（例えば、特許文献１参照）。
【特許文献１】特公昭６３−５１５２８号公報
【発明の開示】
【発明が解決しようとする課題】
【０００３】
ところで、大電流で使用するコンデンサの場合、コンデンサが高温になるのを防ぐため放熱性を向上する必要がある。これに対し、上記従来のコンデンサにおいては、充填樹脂として、エポキシ樹脂やウレタン樹脂等が使用されているが、これらの一般的なプラスチック樹脂の熱伝導率は、０．１〜０．３〔Ｗ／(ｍ・Ｋ)〕程度であって、それほど大きなものではなく、そのため放熱効果をより向上させるのが困難である。
【０００４】
この発明は、上記従来の欠点を解決するためになされたものであって、その目的は、簡単な構成で、良好な放熱効果の得られる乾式コンデンサを提供することにある。
【課題を解決するための手段】
【０００５】
請求項１の乾式コンデンサは、コンデンサ素子１をケース４に収納し樹脂を充填した乾式コンデンサであって、コンデンサ素子１を第１の樹脂５で覆うと共に、この第１の樹脂５の上に第１の樹脂５よりも熱伝導率の大きい第２の樹脂６を充填したことを特徴としている。
【０００６】
請求項２の乾式コンデンサは、上記コンデンサ素子１は、内部に空間を有する巻芯２を備え、この巻芯２の内部にも上記第２の樹脂６を注入することを特徴としている。
【０００７】
請求項３の乾式コンデンサは、上記巻芯２は、メタリコン電極７よりも上方へ突出する突出部２ａを有し、突出部２ａの途中まで上記第１の樹脂５を充填すると共に、その上に上記第２の樹脂６を充填することを特徴としている。
【０００８】
請求項４の乾式コンデンサは、上記巻芯２の下端部２ｂは、閉鎖されていることを特徴としている。
【０００９】
請求項５の乾式コンデンサは、上記巻芯２を、金属で構成したことを特徴としている。
【発明の効果】
【００１０】
請求項１の乾式コンデンサによれば、ケース４の開口側に熱伝導率の大きい第２の樹脂６を充填したので、コンデンサ素子１の発熱を良好に放熱できる。
【００１１】
請求項２の乾式コンデンサによれば、巻芯２の内部にも熱伝導率の大きい樹脂６を充填したので、コンデンサ素子１の内部の発熱も良好に放熱できる。
【００１２】
請求項３の乾式コンデンサによれば、巻芯２の上側突出部２ａの途中まで第１の樹脂５を充填しているので、コンデンサ素子１は、上側のメタリコン電極７に至るまで、その略全体が第１の樹脂５によって覆われることになり、第１の樹脂５による難燃性、絶縁性等の改善効果を確保できる。
【００１３】
請求項４の乾式コンデンサによれば、巻芯２の下側端部２ｂの巻芯開口は、詰物がされ、閉鎖されているので、第１の樹脂５の浸入が防止され、熱伝導率の大きい第２の樹脂６を、巻芯２内部下側まで充填でき、熱伝導率の大きい第２の樹脂６による放熱効果を一段と良好なものにできる。
【００１４】
請求項５の乾式コンデンサによれば、金属製巻芯２の放熱効果が優れているので、コンデンサ素子１の内部の発熱を効率よく放熱でき、大電流コンデンサとして、特に有効である。
【発明を実施するための最良の形態】
【００１５】
次に、この発明の乾式コンデンサの具体的な実施の形態について、図面を参照しつつ詳細に説明する。図１は、この発明の一実施形態を示すもので、ＰＢＴ（ポリブチレンテレフタレート）樹脂等のケース４内に、コンデンサ素子１を収納し、下側にエポキシ樹脂５を、その上側に熱伝導性樹脂６を充填したものである。図２に示すように、コンデンサ素子１は、巻芯２に金属化フィルムを巻回し端面に金属溶射してメタリコン電極７、８を形成したもので、巻芯２の一方端部（上側端部）はメタリコン電極７から上方へと突出して、突出部２ａを構成している。巻芯２の他方端部（下側端部）２ｂはメタリコン電極８と略同一面に位置し、その巻芯開口は、外から樹脂が入り込まないように、例えば詰物が挿入されている（図示せず）。
【００１６】
このようなコンデンサ素子１を、一方の巻芯端部の突出部２ａがケース４の開口側に位置するようにケース４内に収納し、まず最初に難燃性エポキシ樹脂５を充填する。エポキシ樹脂５は、図１に示すように、金属化フィルム、メタリコン電極７、８が覆われるように、巻芯２の突出部２ａの途中まで充填される。このとき、巻芯２の他方端部（下側端部）２ｂの巻芯開口は、詰物がされているので、エポキシ樹脂の浸入が防止される。次に、エポキシ樹脂５の硬化後、熱伝導性樹脂６を充填する。熱伝導性樹脂６は、突出部２ａの巻芯開口部から巻芯２内にも注入されるとともに、ケース４の開口部を覆うように充填される。熱伝導性樹脂６は、例えば放熱グリス等の高熱伝導性の樹脂であり、熱伝導率が１〜５〔Ｗ／(ｍ・Ｋ)〕程度で、エポキシ樹脂より一桁大きいものである。ケース４の開口からは、メタリコン電極７、８に接続された端子９、１０が引出されている。
【００１７】
上記乾式コンデンサにおいては、ケース４の開口側に熱伝導率の大きい樹脂６を充填したので、コンデンサ素子１の発熱を良好に放熱できる。また、巻芯２の内部にも熱伝導率の大きい樹脂６を充填したので、コンデンサ素子１の内部の発熱も良好に放熱できる。さらに、巻芯２の上側突出部２ａの途中までエポキシ樹脂５を充填しているので、コンデンサ素子１は、上側のメタリコン電極７に至るまで、その略全体がエポキシ樹脂５によって覆われることになり、エポキシ樹脂５による難燃性、絶縁性等の改善効果を確保できる。また、巻芯２の下側端部２ｂの巻芯開口は、詰物がされ、閉鎖されているので、エポキシ樹脂５の浸入が防止され、熱伝導性樹脂６を巻芯２内部下側まで充填でき、熱伝導性樹脂６による放熱効果を一段と良好なものにできる。
【００１８】
巻芯２としてプラスチック樹脂のものを使用できるが、より放熱を良くするために金属製のもの（例えば銅製のコア）を使用できる。金属コア２を使用する場合は、金属コア２と金属化フィルムとの間にＰＰ（ポリプロピレン）等の絶縁フィルム３を設け絶縁を確保する。このような乾式コンデンサは、金属製巻芯２の放熱効果が優れているので、大電流用のコンデンサに有用である。例えば、図３に示すように、上記のようなコンデンサ素子１複数（２個以上）を並列に接続し、ケース４に収納し樹脂封止した場合、金属製巻芯２の放熱効果が優れているので、コンデンサ素子１の内部の発熱を効率よく放熱でき、特に有効である。コンデンサは放熱効果に優れるので雰囲気温度の高い場所においても使用できる。
【００１９】
以上にこの発明の具体的な実施の形態について説明したが、この発明は上記形態に限定されるものではなく、この発明の範囲内で種々変更して実施することが可能である。例えば、コンデンサ素子は保安機構付き蒸着フィルムを用いてもよい。また、エポキシ樹脂５はウレタン樹脂等でもよい。さらに、熱伝導性樹脂６はゲル状のものでもよく、また、固体状のものでもよい。
【図面の簡単な説明】
【００２０】
【図１】この発明の乾式コンデンサの一実施形態の中央縦断面図である。
【図２】上記において用いるコンデンサ素子の斜視図である。
【図３】この発明の乾式コンデンサの他の実施形態を示す中央縦断面図である。
【符号の説明】
【００２１】
１・・コンデンサ素子、２・・巻芯、３・・絶縁フィルム、４・・ケース、５・・エポキシ樹脂、６・・熱伝導性樹脂、７、８・・・メタリコン電極、２ａ・・突出部。
【図１】
2006059890.tif 000003
【図２】
2006059890.tif 000004
【図３】
2006059890.tif 000005